(57)【要約】【課題】飲料や薬品などの物質を収容する容器において、別に収容されていた２つの物質を部分的な回転動作により混合させる容器の蓋および容器を提供する。【解決手段】添加物を収容する添加物収容部材と、添加物収容部材の下端開口を塞ぐ状態で添加物収容部材と結合し、その内部に漏斗状の添加物流出部が一体に形成されており、容器本体の口頸部に外接状態で螺合されるように設けられるキャップ部材と、キャップ部材の昇降作用によって開閉される排出口を有し、キャップ部材の添加物流出部に密着し、容器本体の口頸部に固定される開閉手段とを含んだ容器の蓋において、開閉手段が、キャップ部材の添加物流出部を開閉するように、添加物流出部と離隔又は密着する円錐バルブ部と、円錐バルブ部の外周面から放射状に延長される多数のリム部と、容器本体の口頸部の内周面に拘束できるようにリム部の外側端部に連結されるリング部とからなる円錐バルブ部材である。【選択図】  図１
2004244110.tif 000002
【特許請求の範囲】
【請求項１】
添加物を収容するように容器の形をした添加物収容部材と、前記添加物収容部材の下端開口を塞ぐような状態で前記添加物収容部材と結合し、その内部に漏斗状の添加物流出部が一体に形成されており、容器本体の口頸部に外接状態で螺合されるように設けられるキャップ部材と、前記キャップ部材の昇降作用によって開閉される多数の排出口を有し、前記キャップ部材の添加物流出部に密着し、前記容器本体の口頸部に固定される開閉手段とを含んでなる容器の蓋において、
前記開閉手段が、前記キャップ部材の添加物流出部を開閉するように、前記添加物流出部と離隔又は密着する円錐バルブ部と、前記円錐バルブ部の外周面から放射状に延長される多数のリム部と、前記容器本体の口頸部の内周面に拘束できるように前記多数のリム部の外側端部に連結されるリング部とからなる円錐バルブ部材であることを特徴とする容器の蓋。
【請求項２】
前記円錐バルブ部材と添加物流出部との間に、密閉力を高めるシーリング手段をさらに含むことを特徴とする請求項１記載の容器の蓋。
【請求項３】
前記シーリング手段は、前記円錐バルブ部材の円錐部分とバルブ部分との間に設けられ、外周面に螺旋を有するピラー部と、前記添加物流出部の内周面にピラー部の螺旋と同一のピッチを持つ螺旋を有し、前記ピラー部に螺合される螺合部とからなることを特徴とする請求項２記載の容器の蓋。
【請求項４】
容器本体の口頸部に螺合され、前記口頸部に挿入されるシリンダ空間部を有し、前記シリンダ空間部の下端にはバルブ部が、前記シリンダ空間部の上端には突出開口部が設けられる固定部と、
内部に収容室を有し、前記シリンダ空間部に挿入され、下端部に突設された流出部が前記バルブと密着し、開口された上端部が前記固定部の突出開口部に挿入されて外部に突出した収容部と、
保持手段によって前記収容部の上端部に結合し、前記固定部の突出開口部に螺合されるキャップ部とからなることを特徴とする容器の蓋。
【請求項５】
前記固定部のバルブ部は、前記固定部のシリンダ空間部の下端の内周に設けられ、内側に延長された多数のリム部と、前記多数のリム部の端部に連結され、上面が外側上方に傾くように設けられた傾斜部と前記傾斜部の中心部に上方に膨出した曲面部とからなり、
前記収容部の流出部は、端部が内側上方に傾くように設けられ、前記傾斜部の上面に接触することを特徴とする請求項４記載の容器の蓋。
【請求項６】
前記収容部の下部内側面が曲面からなることを特徴とする請求項４記載の容器の蓋。
【請求項７】
前記保持手段は、前記収容部の上端部の外周面に設けられた保持突部と、前記キャップ部の内側面に設けられ、前記保持突部が挿入される溝部とからなることを特徴とする請求項４記載の容器の蓋。
【請求項８】
前記収容部は、上端部の一側面に通孔が設けられ、前記固定部の突出開口部の外周面に多数の空気注入路が設けられることを特徴とする請求項４記載の容器の蓋。
【請求項９】
前記収容部は、中間部の外周面に突条部が設けられ、前記収容部の上昇時に前記突条部が前記固定部の上端に係止されてその上昇運動が制限されるようにすることを特徴とする請求項４記載の容器の蓋。
【請求項１０】
前記固定部のバルブ部は、前記固定部のシリンダ空間部の下方に垂直方向に延長されている多数のリム部と、前記多数のリム部の下端部に設けられ、上方に膨出した中心部を有する曲面部とからなり、
前記収容部の流出部は、端部が内側上方に傾くように形成され、前記曲面部に接触することを特徴とする請求項４記載の容器の蓋。
【請求項１１】
容器本体の口頸部に螺合され、前記口頸部に挿入されるシリンダ空間部を有し、前記シリンダ空間部の下端にはバルブ部が、前記シリンダ空間部の上端には突出開口部が設けられる固定部と、
内部に収容室を有し、前記シリンダ空間部に挿入され、下端部に突設された流出部が前記バルブと密着し、開口された上端部が前記固定部の突出開口部に挿入されて外部に突出した収容部と、
前記固定部の上端部に回転可能に結合し、内周面の螺子部によって前記収容部の上端部の外周面と螺合し、前記収容部の昇降運動を調節することが可能な調節部と、
前記調節部の上端部に結合したキャップ部とから構成される容器の蓋。
【請求項１２】
前記固定部と前記調節部との界面にＯリングが挿設されることを特徴とする請求項１１記載の容器の蓋。
【請求項１３】
前記固定部のバルブ部は、前記固定部のシリンダ空間部の下方に垂直方向に延長されている多数のリム部と、前記多数のリム部の下端部に設けられ、上方に膨出した中心部を有する曲面部とからなり、前記収容部の流出部は、端部が内側上方に傾くように形成され、前記曲面部に接触することを特徴とする請求項１１記載の容器の蓋。
【請求項１４】
前記固定部と前記収容部は容器本体の内部中心側に延長され、
前記調節部は前記固定部及び前記収容部の延長長さだけ上方に延長されることを特徴とする請求項１１記載の容器の蓋。
【請求項１５】
前記キャップ部が吐出口を備えることを特徴とする請求項１１ないし１４のいずれか１項に記載の容器の蓋。
【請求項１６】
容器本体の下端部に設けられた口頸部に螺合され、前記口頸部に挿入されるシリンダ空間部を有し、前記シリンダ空間部の上端にはバルブ部が、前記シリンダ空間部の下端には開口部が設けられる固定部と、
内部に収容室を有し、前記シリンダ空間部に挿入され、上端部に突設された流出部が前記バルブと密着し、開口された下端部が前記固定部の下端開口部に挿入されて外部に突出した収容部と、
前記固定部の下端部に回転可能に結合し、内周面の螺子部によって前記収容部の下端部の外周面に螺合して下前記収容部の昇降運動を調節することが可能な、下端部が塞がっている調節部とからなることを特徴とする容器の蓋。
【請求項１７】
添加物を収納できるように形成された添加物キャップ部が具備され、その上面に穴が開くように形成され、
また、容器本体の飲み口部分と外接状態でネジ結合されるように形成され、
上記、添加物キャップ部の中央下側に延長形成された添加物流出部を塞ぐため、ここに破裂性の膜を付着させる。
上記、穴を開閉するバルブコックが具備され、
このバルブコックが押されて開くように、上記の容器本体の飲み口部分上段に突起した出っ張り部分が形成されている。
液体の貫通ができるような構成で形成され、上記の添加物キャップ部が下降するとき、上記破裂性の膜を穿孔破裂するように容器本体の飲み口部内側に円錐バルブ型の破裂手段が位置・固定されるよう結合された構成からなる特徴を持った容器の蓋。
【請求項１８】
円錐バルブ型の破裂手段が、
添加物キャップ部の添加物流出部下側へ入ることにより、破裂性の膜を破裂させるため、尖った突起形成の円錐バルブ部と、
上記、円錐バルブ部の下、外周面から放射線状に延長した多数のリム部と、
上記の容器本体の飲み口部分内側結合位置で拘束されるよう、上記多数のリム部の外郭先端部に延長しているリング部からなっていることを特徴とした請求項１７に記載の容器の蓋。
【請求項１９】
添加物が収納されるように容器の形態で形成・具備された添加物収納部と、
上記、添加物収納部の下、開口部がふさがった形態で結合され、その内部にラッパ型の添加物排出段が一体化形成され、容器本体の飲み口部分に外接状態でネジ結合するように具備されたキャップ部と、
上記、キャップ部の昇降作用によって、その多数の排出口を開け閉めできるよう、上記のキャップ部の添加物排出段とネジ結合し、これと同じ状態で上記の容器本体の飲み口部分内部に結合・固定される開閉手段を含み構成された容器の蓋。
【請求項２０】
開閉手段は、
多数の穴がその壁の下側に開いていて、その上側から上記キャップ部の添加物排出段が内接状態でネジ結合された筒部分の下側外周に向かって放射線状に配置された多数のリムの先端部が、上記の容器本体の飲み口部分内部に結合・固定されたゲート部分と、
上記ゲート部分の内部に備えられた弾性部分と、
上記弾性部分によった上昇弾力が作用され、上記のキャップ部の添加物排出段によって下に押される作用が働き、このような作用によって、上記ゲート部分の筒部分に開けられた多くの穴を開け閉めできるよう、上記ゲート部分に内装されたバルブ部分から構成されることを特徴とする請求項１９に記載の容器の蓋。
【請求項２１】
開閉手段は、上記キャップ部の添加物排出段が密接したり、離れたりしたとき、この添加物排出段を開け閉めするバルブ部と、
このバルブの外周面に放射線状に配置され延長された先端部が上記の容器本体の飲み口部分内部に結合・固定された多数のリムから形成されたことを特徴とした請求項１９に記載の容器の蓋。
【請求項２２】
開閉手段は、上記のキャップ部の添加物排出最先端部が詰まった形態で形成され、
上記キャップ部の回転半径よりも大きい半径を持つ一定の長さの弓形で、上記の添加物排出段先端部の外周面に突起部が形成され、このような突起部を開口形成し、
このように開口された突起部の穴を閉めることができ、また簡単に破裂するようになっている破裂性の膜が上記突起部に付着され、
上記キャップの回転によって上記破裂性の膜を切り取ることができるように、上記の破裂性の膜と相応する位置で上記容器本体の飲み口部分内側に延長形成された投入用切り取り歯を具備した構造からなることを特徴とした請求項１９に記載の容器の蓋。
【請求項２３】
開閉手段は、容易に切り取られる構造で上記のキャップ部の添加物排出段先端部を塞ぐ形態で形成された切り取り膜と、
上記切り取り膜の外郭部分下側面に延長形成された輪と、
上記輪が回転上昇しながら引っ掛かるように、上記輪と相応する位置の容器本体の内側壁面に延長形成された投入部分から構成されることを特徴とする請求項１９に記載の容器の蓋。
【請求項２４】
上記輪は、上記切り取り膜のどの法線上でもあつまる構造で形成されたことを特徴とする請求項２３に記載の容器の蓋。
【請求項２５】
上記輪が上記の切り取り膜に完全に密着しないように、輪の切り取り膜の面に出っ張った形の突起部が備えられたことを特徴とした請求項２３記載の容器の蓋。
【請求項２６】
上記の切り取り膜は、切り取る際、添加物排出段先端部の開口面積を最大にするように、その切り取り線が巴形になっていることを特徴とした請求項２３に記載の容器の蓋。
【請求項２７】
容器本体下部にネジを持った形態で形成された他のくちばし部分と、
上記別のくちばし部分に交換できるように結合された混合物排出段と、
上記、混合物排出手段を覆いかぶせられるよう、上記容器本体の下部外側壁面に外せるように結合された別のキャップ部が含まれて構成され、
上記の混合物排出手段が、
上記ネジと締結される別のネジを持った混合物排出口であることを特徴とする請求項１９ないし２３記載の容器の蓋を持つ容器。
【請求項２８】
容器本体の下部にネジの口を持った別のくちばし部分と、
上記別のくちばしに交換できるように結合された混合物排出手段と、
上記混合物排出手段を覆いかぶせられるように、上記容器本体の下の外側壁面に脱却できるよう結合された別のキャップ部が含まれ構成され、
上記混合物排出手段が、
上記、ネジの口と締結される別のネジの口を持った噴霧器であることを特徴とした請求項１９ないし２３記載の容器の蓋を持つ容器。
【請求項２９】
容器本体下部にネジ口を持つ形で形成されたくちばし部分と、
上記別のくちばしに交換できるように結合された混合物排出手段と、
上記混合物排出手段を覆いかぶらせるよう、上記容器本体の下部外側壁面に脱却できるよう結合された別のキャップ部が含まれて構成され、
上記のキャップ部と添加物収納部が、
ネジによって締結される構造ならびに一方向の鋸の歯によって締結された構造で結合し、形成されることを特徴とした請求項１９ないし２３記載の容器の蓋。
【請求項３０】
外周面に雄ネジを有する口頸部が設けられた容器本体と、
前記口頸部の内側に結合される挿入部及び外部に露出される露出部を備え、両側が開放されて内側に添加物収容空間を形成する添加物貯蔵部材と、
前記口頸部の雄ネジによって螺合され、前記添加物収容空間を容器本体の内容物収容空間と選択的に隔離又は連通させるキャップと、
前記添加物貯蔵部材を口頸部から分離させる添加物貯蔵部材分離手段とを含む容器。
【請求項３１】
前記添加物貯蔵部材分離手段は、前記添加物貯蔵部材の外周面の中央部には半径方向の外側に突出する上昇突条を有し、この上昇突条が前記キャップの内周面の雌ネジと軸方向に干渉するように構成されることを特徴とする請求項３０記載の容器。
【請求項３２】
前記添加物貯蔵部材分離手段は、前記支持軸から延長される連結軸と、前記連結軸の端部に一体に設けられ、挿入部の端部と軸方向に干渉される上昇板とからなることを特徴とする請求項３０記載の容器。
【請求項３３】
前記添加物貯蔵部材の挿入部の端部には、半径方向の内側に突出しかつ中央部に排出孔を有するバルブシートを構成し、前記キャップの中央に軸方向に突出する支持軸と、この支持軸の端部に結合され、前記排出孔を閉鎖して添加物収容空間を容器本体の内容物収容空間から隔離させるバルブ部材とが固定されることを特徴とする請求項３０ないし３２のいずれか１項に記載の容器。
【請求項３４】
前記キャップの内側には外壁から内側に所定の距離離隔して軸方向に突出する円筒状の内壁が設けられ、内壁の外周面と露出部の内周面が移動可能に面接触するように構成されることを特徴とする請求項３３記載の容器。
【請求項３５】
前記キャップの外壁と内壁には、それぞれ同一線上に外部注入孔及び内部注入孔が設けられ、前記添加物貯蔵部材の露出部には、前記キャップが回転するときに予定の位置で前記外部注入孔と内部注入孔とを連通させる連通孔が設けられることを特徴とする請求項３４記載の容器。
【請求項３６】
前記連通孔は、前記キャップの回転時に一定の角度以上外部注入孔と内部注入孔との連通状態を保つように長孔状に設けられることを特徴とする請求項３５記載の容器。
【請求項３７】
前記添加物貯蔵部材の露出部の内周面には段差が設けられ、前記段差にはキャップの内壁の端部が軸方向に一定の深さ挿入できるように第１シール溝が設けられることを特徴とする請求項３４記載の容器。
【請求項３８】
前記内壁の外側には、前記露出部の端部が軸方向に一定の深さ挿入できるように第２シール溝がさらに設けられることを特徴とする請求項３７記載の容器。
【請求項３９】
前記口頸部は、口頸部材を別途に成形し、これを容器本体の入口に対して一体に成形する二重射出で構成されることを特徴とする請求項３０記載の容器。
【請求項４０】
外周面にリング状のストッパーが突設される口頸部を有する容器本体と、
前記口頸部の内側に結合する挿入部及び外部に露出される露出部を備え、両側が開放されて内側に添加物収容空間を形成する添加物貯蔵部材と、
先端に前記口頸部のストッパーに結合するフックが設けられ、前記添加物収容空間を容器本体の内容物収容空間と選択的に隔離又は連通させるキャップとからなる容器。
【請求項４１】
前記キャップの密閉端には半径方向の外側に拡張される把持部が設けられることを特徴とする請求項４０記載の容器。
【請求項４２】
上部に口頸部が設けられ、密閉された下部壁に連通孔が設けられ、下部壁から下部に延長され且つ外周面に係止溝を有する延長壁が一体に設けられる容器本体と、
一側が開放される円筒状であって、外周面に雄ネジを有し、前記延長壁内にスライド可能に挿入され、前記連通孔を開閉するバルブ部材を含む添加物貯蔵部材と、
前記添加物貯蔵部材の外側を取り囲みながら前記容器本体に回転可能に結合し、回転時に添加物貯蔵部材を軸方向に移動させる作動部材とからなる容器。
【請求項４３】
前記作動部材は、開放端には延長壁の係止溝に回転可能に結合する係止突条が設けられ、内側面には前記添加物貯蔵部材の雄ネジに螺合して添加物貯蔵部材を軸方向に移動させるように雌ネジが設けられることを特徴とする請求項４２記載の容器。
【請求項４４】
外周面に雄ネジを有する口頸部が設けられ、内部に内容物収容空間を有する容器本体と、  前記口頸部に挿入され、外周面に上昇突条が設けられ、内部に前記内容物収容空間と選択的に連通する複数の添加物収容空間を有する添加物貯蔵部材と、
前記口頸部の雄ネジに螺合される外壁と、前記添加物貯蔵部材に挿入される内壁と、添加物収容空間を２つの隔離空間に区画する分離壁と、前記外壁及び内壁の一側を密閉する密閉部とが一体に設けられたキャップとからなる容器。
【請求項４５】
前記添加物貯蔵部材の下端部の周りには複数の排出孔が設けられ、前記添加物貯蔵部材の底面は中央に行くほど上方に膨出するように構成されたことを特徴とする請求項４４記載の容器。
【請求項４６】
前記底面には、それぞれ内壁及び分離壁の下端が接する部分にシール部材が設置されることを特徴とする請求項４５記載の容器。
【請求項４７】
前記密閉部には、前記添加物貯蔵部材の上端が挿入されるシール溝が設けられることを特徴とする請求項４６記載の容器。
【請求項４８】
前記外壁及び内壁には、それぞれの前記添加物収容空間に対応するように外部注入孔及び内部注入孔がそれぞれ設けられ、前記添加物貯蔵部材には、前記それぞれの外部注入孔及び内部注入孔と予定の位置で相互同一線上に配置され、添加物収容区間を外気と連通させる連通孔が設けられることを特徴とする請求項４７記載の容器。
【請求項４９】
容器本体の口頸部の側に結合される栓部材と、前記栓部材によって開閉されるキャップ部材と、添加物を収容するように設けられ、前記キャップ部材の上側に結合される添加物収容部材とを含んでなる容器の蓋において、前記容器本体の口頸部の内周面が上広下狭状の傾斜面からなり、前記栓部材が、その中央部位に設けられる板状パルプ部と、この板状バルブ部の周辺部位に穿設される多数の孔と、前記板状バルブ部の中央上側に立設される分割楔とを有し、前記栓部材の板状バルブの外周面が、前記容器本体の口頸部の内周面に相応する傾斜面からなり、前記キャップ部材が、コーン部の上端の一側部位に穿設される通孔を有することを特徴とする容器の蓋。
【請求項５０】
前記添加物収容部材が内在状態で上部結合手段によって結合され、その下端が前記容器本体の上部の外周面に下部結合手段によって着脱されるカバーをさらに含んでなることを特徴とする請求項４９記載の容器の蓋。
【請求項５１】
前記上部結合手段が、前記添加物収容部材の上端部の外周にフランジ状に突設された突条と、前記突条が分離可能に結合できるように、前記カバーの上部の内周面に凹設された環状溝とからなることを特徴とする請求項５０記載の容器の蓋。
【請求項５２】
前記下部結合手段が、前記カバーの下端の内周面に突設された突条と、この突条が分離可能に結合できるように、前記容器本体の上部外周面の当該部位に凹設された環状溝とからなることを特徴とする請求項５０記載の容器の蓋。
【請求項５３】
前記容器本体の口頸部の内周面に、前記栓部材が自由に定着できる係止段部が設けられることを特徴とする請求項４９記載の容器の蓋。
【請求項５４】
前記キャップ部材に穿設される通孔にストローがさらに結合されることを特徴とする請求項５０記載の容器の蓋。
【請求項５５】
冷却作用を行う第１収容物を収容し、ねじ面と下側の開口部を有し、前記容器本体の下面から延長される第１収容部材と、前記第１収容部材の下側開口部を塞ぐ破裂性膜と、前記第１収容部材と外接状態で螺合されると共に、上方開口状態で前記第１収容物と混合されたときに化学的反応によって冷気を発生させる第２収容物が収容できる第２収容部材と、前記第２収容部材を回して上方に移動させたときに前記破裂性膜を切り取るように、前記第２収容部材の内壁面から延長される切取り部材と、前記第１及び第２収容部材を取り囲むように、前記容器本体の下側外周から延長されるスカート部とをさらに含んでなることを特徴とする請求項４９記載の容器の蓋。
【発明の詳細な説明】
【技術分野】
【０００１】
本発明は、容器の蓋および容器に関し、より詳しくは、飲料や薬品などの物質を収容する容器において、それぞれ別に収容されていた２つの物質を部分的な回転動作のみによって一つの容器で実時間にて混合させることを可能にした容器の蓋および容器に関する。
【背景技術】
【０００２】
現在、流通・市販されている使い捨て容器の殆どは、一つの容器に１種類の物質のみを保管できるようになっており、このようなある種の収容物に添加物を混合させる場合に他の容器から添加物を提供しなければならないので、２つの物質の別途包装及び容器製作による資源の浪費などを発生させるという欠点があった。
しかも、定量混合でない使用者の任意的混合により、食飲料においては味の変化及び変質、薬品及び化学薬品においては物質効能の不完全な溶解及び変化作用などが発生し得るという問題点や、別途の２つの容器を取り扱わなければならないことによる不便さ及び煩わしさなどの問題点があった。
勿論、ある種の収容物に添加物を実時間で混合させず、混合物を作って一つの容器に収容すれば、前述した欠点及び問題点は発生しないだろうが、一つの容器に既に収容された混合物は、時間の経過に伴い物質の成分効能の低下や変色が起こる虞があり、場合によっては物質内浮遊物の発生及び沈澱などが生ずるというより大きい問題点をもたらす。
【０００３】
かかる問題点を解消するために、本出願人は、特許文献１に開示されている発明を提案したことがある。特許文献１記載の発明は、「円錐バルブ部材」の「リム」が自由端部を有する形に設けられているので、「リム」が撓むときに「容器本体」の結合部位からずれ易いという欠点が指摘されている。
その上、溶媒水溶液と添加物の完壁な隔離収容に対する必要性が台頭し、これを充足させることが可能な手段の工夫が要求されている。
このような要求に対する充足は、添加物収容部分と溶媒水溶液収容部分との間に気密又は水密が行われて互いに物理的又は化学的な変化が起こらないようにし、これにより元の目的をより効果的に行えるようにする。
【特許文献１】大韓民国特許出願第２００２−３１４７０号明細書
【発明の開示】
【発明が解決しようとする課題】
【０００４】
本発明は、本出願人によって出願された特許文献１記載の発明の欠点を補完するために創案されたもので、その目的は、簡単な構成で確実にバルブを開閉することができる異種物質を混合可能な容器の蓋を提供することにある。
本発明の他の目的は、溶媒水溶液と添加物との完壁な隔離収容の必要性を満足させることが可能な容器の蓋を提供することにある。
本発明のさらに他の目的は、蓋の内部に半固形物を収容し、この半固形物と容器本体内の液体とを混合して飲料などを作ることが可能な容器の蓋を提供することにある。
【課題を解決するための手段】
【０００５】
前記課題を解決するために、請求項１の発明では、
添加物を収容するように容器の形をした添加物収容部材と、前記添加物収容部材の下端開口を塞ぐような状態で前記添加物収容部材と結合し、その内部に漏斗状の添加物流出部が一体に形成されており、容器本体の口頸部に外接状態で螺合されるように設けられるキャップ部材と、前記キャップ部材の昇降作用によって開閉される多数の排出口を有し、前記キャップ部材の添加物流出部に密着し、前記容器本体の口頸部に固定される開閉手段とを含んでなる容器の蓋において、
前記開閉手段が、前記キャップ部材の添加物流出部を開閉するように、前記添加物流出部と離隔又は密着する円錐バルブ部と、前記円錐バルブ部の外周面から放射状に延長される多数のリム部と、前記容器本体の口頸部の内周面に拘束できるように前記多数のリム部の外側端部に連結されるリング部とからなる円錐バルブ部材であることを特徴とする。
また、請求項４の発明では、
容器本体の口頸部に螺合され、前記口頸部に挿入されるシリンダ空間部を有し、前記シリンダ空間部の下端にはバルブ部が、前記シリンダ空間部の上端には突出開口部が設けられる固定部と、
内部に収容室を有し、前記シリンダ空間部に挿入され、下端部に突設された流出部が前記バルブと密着し、開口された上端部が前記固定部の突出開口部に挿入されて外部に突出した収容部と、
保持手段によって前記収容部の上端部に結合し、前記固定部の突出開口部に螺合されるキャップ部とからなることを特徴とする。
請求項１１の発明では、
容器本体の口頸部に螺合され、前記口頸部に挿入されるシリンダ空間部を有し、前記シリンダ空間部の下端にはバルブ部が、前記シリンダ空間部の上端には突出開口部が設けられる固定部と、
内部に収容室を有し、前記シリンダ空間部に挿入され、下端部に突設された流出部が前記バルブと密着し、開口された上端部が前記固定部の突出開口部に挿入されて外部に突出した収容部と、
前記固定部の上端部に回転可能に結合し、内周面の螺子部によって前記収容部の上端部の外周面と螺合し、前記収容部の昇降運動を調節することが可能な調節部と、
前記調節部の上端部に結合したキャップ部とから構成されることを特徴とする。
【０００６】
請求項１６の発明では、
容器本体の下端部に設けられた口頸部に螺合され、前記口頸部に挿入されるシリンダ空間部を有し、前記シリンダ空間部の上端にはバルブ部が、前記シリンダ空間部の下端には開口部が設けられる固定部と、
内部に収容室を有し、前記シリンダ空間部に挿入され、上端部に突設された流出部が前記バルブと密着し、開口された下端部が前記固定部の下端開口部に挿入されて外部に突出した収容部と、
前記固定部の下端部に回転可能に結合し、内周面の螺子部によって前記収容部の下端部の外周面に螺合して下前記収容部の昇降運動を調節することが可能な、下端部が塞がっている調節部とからなることを特徴とする。
また、請求項１７の発明では、
添加物を収納できるように形成された添加物キャップ部が具備され、その上面に穴が開くように形成され、
また、容器本体の飲み口部分と外接状態でネジ結合されるように形成され、
上記、添加物キャップ部の中央下側に延長形成された添加物流出部を塞ぐため、ここに破裂性の膜を付着させる。
上記、穴を開閉するバルブコックが具備され、
このバルブコックが押されて開くように、上記の容器本体の飲み口部分上段に突起した出っ張り部分が形成されている。
液体の貫通ができるような構成で形成され、上記の添加物キャップ部が下降するとき、上記破裂性の膜を穿孔破裂するように容器本体の飲み口部内側に円錐バルブ型の破裂手段が位置・固定されるよう結合された構成からなることを特徴とする。
請求項１９の発明では、
添加物が収納されるように容器の形態で形成・具備された添加物収納部と、
上記、添加物収納部の下、開口部がふさがった形態で結合され、その内部にラッパ型の添加物排出段が一体化形成され、容器本体の飲み口部分に外接状態でネジ結合するように具備されたキャップ部と、
上記、キャップ部の昇降作用によって、その多数の排出口を開け閉めできるよう、上記のキャップ部の添加物排出段とネジ結合し、これと同じ状態で上記の容器本体の飲み口部分内部に結合・固定される開閉手段を含み構成されたことを特徴とする。
【０００７】
請求項３０の発明では、
外周面に雄ネジを有する口頸部が設けられた容器本体と、
前記口頸部の内側に結合される挿入部及び外部に露出される露出部を備え、両側が開放されて内側に添加物収容空間を形成する添加物貯蔵部材と、
前記口頸部の雄ネジによって螺合され、前記添加物収容空間を容器本体の内容物収容空間と選択的に隔離又は連通させるキャップと、
前記添加物貯蔵部材を口頸部から分離させる添加物貯蔵部材分離手段とを含むことを特徴とする。
また、請求項４０の発明では、
外周面にリング状のストッパーが突設される口頸部を有する容器本体と、
前記口頸部の内側に結合する挿入部及び外部に露出される露出部を備え、両側が開放されて内側に添加物収容空間を形成する添加物貯蔵部材と、
先端に前記口頸部のストッパーに結合するフックが設けられ、前記添加物収容空間を容器本体の内容物収容空間と選択的に隔離又は連通させるキャップとからなることを特徴とする。
更に、請求項４２の発明では、
上部に口頸部が設けられ、密閉された下部壁に連通孔が設けられ、下部壁から下部に延長され且つ外周面に係止溝を有する延長壁が一体に設けられる容器本体と、
一側が開放される円筒状であって、外周面に雄ネジを有し、前記延長壁内にスライド可能に挿入され、前記連通孔を開閉するバルブ部材を含む添加物貯蔵部材と、
前記添加物貯蔵部材の外側を取り囲みながら前記容器本体に回転可能に結合し、回転時に添加物貯蔵部材を軸方向に移動させる作動部材とからなることを特徴とする。
【０００８】
請求項４４の発明では、
外周面に雄ネジを有する口頸部が設けられ、内部に内容物収容空間を有する容器本体と、  前記口頸部に挿入され、外周面に上昇突条が設けられ、内部に前記内容物収容空間と選択的に連通する複数の添加物収容空間を有する添加物貯蔵部材と、
前記口頸部の雄ネジに螺合される外壁と、前記添加物貯蔵部材に挿入される内壁と、添加物収容空間を２つの隔離空間に区画する分離壁と、前記外壁及び内壁の一側を密閉する密閉部とが一体に設けられたキャップとからなることを特徴とする。
また、請求項４９の発明では、
容器本体の口頸部の側に結合される栓部材と、前記栓部材によって開閉されるキャップ部材と、添加物を収容するように設けられ、前記キャップ部材の上側に結合される添加物収容部材とを含んでなる容器の蓋において、前記容器本体の口頸部の内周面が上広下狭状の傾斜面からなり、前記栓部材が、その中央部位に設けられる板状パルプ部と、この板状バルブ部の周辺部位に穿設される多数の孔と、前記板状バルブ部の中央上側に立設される分割楔とを有し、前記栓部材の板状バルブの外周面が、前記容器本体の口頸部の内周面に相応する傾斜面からなり、前記キャップ部材が、コーン部の上端の一側部位に穿設される通孔を有することを特徴とする。
【発明の効果】
【０００９】
本発明によれば簡単な構成で確実にバルブを開閉して異種物質を混合することができる。
また、溶媒水溶液と添加物との完壁な隔離収容の必要性を満足させることができる。
本発明では、混合されていない純粋物質状態で保管することができ、時間が経過しても物質の成分効能の減少又は色などの変化、物質内浮遊物の発生及び沈殿など化学的変化及び物理的変化を排除させることができるうえ、一つの容器で異種物質を分離状態で収容することができる。これにより、本発明は、２つの容器を取り扱わなければならないことによる煩わしさ及
び不便さを解消することができ、２つの物質の別途包装及び容器製作による資源浪費などの問題、定量の混合ではなく使用者の任意的混合によって発生する、食飲料の混合における味の変化及び変質、薬品及び化学薬品の混合における物質効能の不完全な溶解及び変化作用などに対する問題を同時に解消することができる。
また、添加物収容部分と溶媒収容液収容部分との間に気密又は水密が完壁に行われて互いに物理的又は化学的変化が起こらないようにし、これにより元の目的をより効果的に行えるようにするという他の利点がある。
また、本発明は、半固形物と液体とを混合して飲料などを作ることができるという利点がある。
【発明を実施するための最良の形態】
【００１０】
以下、本発明の異種物質を混合可能な容器の蓋の好適実施例について図面を参照しながら説明する。
【実施例１】
【００１１】
本発明に係る容器の蓋は、図１ないし図３に示すように、添加物を収容するように容器の形をした添加物収容部材１００と、前記添加物収容部材１００に結合して形成されたキャップ部材５０と、前記添加物収容部材１００とキャップ部材５０によって設けられる空間と容器本体１３の空間とを選択的に連通させる開閉手段とを含んでなる。
前記添加物収容部材１００は、一定容量の添加物を収容することが可能な容器の形をしており、その下端が前記キャップ部材５０によって塞げられる開口になっている。
すなわち、前記キャップ部材５０は、前記添加物収容部材１００の下端開口を塞ぐような状態で添加物収容部材１００と結合し、その内部に漏斗状の添加物流出部５２が一体に形成されており、容器本体１３の口頸部に外接状態で螺合されるように設けられている。
前記開閉手段は、前記キャップ部材５０の添加物流出部５２が密着又は離隔するとき、添加物流出部５２を開閉する円錐バルブ部１４と、前記円錐バルブ部１４の外周面から放射方向に延長され、その端部が前記容器本体１３の口頸部に固定される多数のリム部１２４と、前記容器本体１３の口頸部の内周面に拘束できるように、前記多数のリム部１２４の外側端部に連結されるリング部とからなる円錐バルブ部材Ｖである。
【００１２】
このように構成されることにより、容器本体１３の口頸部からキャップ部材５０を回して上昇させると、開閉手段が作用してキャップ部材５０の添加物流出部５２を開くことになり、キャップ部材５０と添加物収容部材１００によって設けられた空間を容器本体１３の空間と連通させる。これにより、添加物収容部材１００に収容されていた添加物が容器本体１３に流れ込んで混合される（図３（ａ）（ｂ）参照）。
この際、添加物収容部材１００に収容された添加物の上側には真空力が作用し、添加物が容器本体１３に円満に流れ込むことができなくなるが、前記添加物収容部材１００の上側に小孔を穿孔し、この小孔を開閉するバルブコックＣを設置する。このようなバルブコックＣの開閉作用によって開放又は閉鎖される小孔を介して外部から空気が入るようにすることにより、添加物収容部材１００からの収容物流出作用が円滑に行われるようにすることもできる。
【実施例２】
【００１３】
本発明では、図４（ａ）及び図４（ｂ）に示すように、前記円錐バルブ部材Ｖと添加物流出部５２との間に、密閉力を高めるシーリング手段をさらに含むこともできる。
前記シーリング手段は、円錐バルブ部材Ｖの円錐部分とバルブ部分１４Ｔとの問に設けられ、外周面に螺旋を有するピラー部１４Ｓと、前記添加物流出部５２の内周面にピラー部の螺旋と同一のピッチを持つ螺旋を有し、前記ピラー部１４Ｓに螺合される螺合部５２Ｓとからなる。
したがって、容器本体１３の口頸部からキャップ部材５０及び添加物流出部５２を回して上昇させると、添加物流出部５２の螺合部５２Ｓもピラー部１４Ｓの外周面上で螺旋方向に回転しながら上昇する。このように螺合された状態で回転作用が行われることにより、添加物流出部５２と円錐バルブ部材Ｖとの間における密閉力は極大化される。
【実施例３】
【００１４】
本発明に係る容器の蓋は、図５ないし図７（ｃ）に示すように、容器本体１３の口頸部１０に結合し、前記口頸部１０の内部に挿入されるシリンダ空間部１０３が備えられた固定部１００Ｂと、内部に収容室５１を有し、前記シリンダ空間部１０３に挿入される収容部５０と、前記固定部１００Ｂの上端部に結合したキャップ部１００Ａとから構成される。
固定部１００Ｂは、図５及び図６に示すように、下部が外部円筒１０１と内部円筒１０２の二重円筒の形状をしている。外部円筒１０１は内周面に螺子部が設けられ、容器本体１３の口頸部１０に螺合され、内部円筒１０２はシリンダ形状を有し、シリンダ空間部１０３を成しており、下端部にバルブ部２２２が設けられている。前記バルブ部２２２は、図６の拡大図に示すように、前記シリンダ空間部１０３の下端の内周に設けられ、内側に延長された多数のリム部２２２−１と、前記多数のリム部２２２−１の端部に設けられた傾斜部２２２−２と、前記傾斜部２２２−２の中心部に上方に膨出した曲面部２２２−３とからなっている。前記傾斜部２２２−２は、その上面が外側上方に傾くように設けられている。ここで、前記多数のリム部２２２−１、傾斜部２２２−２及び曲面部２２２−３は一体に設けられている。前記傾斜部２２２−２及び曲面部２２２−３は後述する収容部５０の流出部５２に接触してバルブの機能を行う。バルブのオープン時、収容部内の収容物は前記多数のリム部２２２−１の間に流下して容器本体１３内の液体と混合される。
【００１５】
前記内部円筒１０２は、容器本体１３の口頸部１０に挿着される。前記固定部１００Ｂの上端部は上方に突出した突出開口部１０４を持っている。前記突出開口部１０４は外周面に螺子部が設けられており、前記螺子部には縦軸方向に多数の空気注入路１０５が設けられている（図８参照）。前記空気注入路１０５は後述する収容部５０の通孔Ｈに空気が注入される通路の役割を果たす。
収容部５０は、図６に示すように、円筒形状をしており、上下端部が開口されている。前記収容部５０の下端部には流出部５２が突設されている。前記流出部５２は、図６の拡大図に示すように、その先端部が内側上方に傾いた形状をしており、前記固定部１００Ｂのバルブ部２２２の傾斜部２２２−２の傾斜面と接触する。すなわち、前記流出部５２とバルブ部２２２の傾斜部２２２−２は互いに線接触をしており、このような線接触による高い接触圧力で収容部５０内の収容物が容器の内部に漏れることを防止することができる。前記収容部５０の内部には収容室５１が設けられている。前記収容室５１を形成する収容部５０の内側面はその下部が曲面Ｓを成している。これは収容室５１に収容される収容物が流出部５２へ容易に放出されるようにするためである。
前記収容部５０の上端部には、前記収容部５０と後述のキャップ１００Ａとを連動させる保持手段として保持突部５３が円周方向に突設されている。前記保持突部５３は、所定の以上の力を加える場合、前記収容部５０とキャップ部１００Ａとが分離できる程度に相互間を結合させる役割を果たす。すなわち、前記保持突部５３は、キャップ部１００Ａの回転時、前記収容部５０が前記キャップ部１００Ａと連動して垂直方向に移動できるようにする。
【００１６】
前記収容部５０の上端部の一側面には通孔Ｈが設けられている。前記通孔Ｈは、図６に示すように、キャップ部１００Ａが締まっている状態では、固定部１００Ｂの上端の突出開口部１０４によって塞がっている。ところが、図７（ａ）に示すように、キャップ部１００Ａが解けて前記通孔Ｈが固定部１００Ｂの突出開口部１０４の上方に上昇すると、空気が前記突出開口部１０４の外側面の空気注入路１０５（図８参照）を介して前記通孔Ｈに入る。
前記収容部５０の中間部には外周面に突条部５４が設けられている。前記突条部５４は収容部５０の上昇運動を一定の程度まで制限する役割を果たす。すなわち、前記収容部５０が上昇する過程で、前記突条部５４が固定部１００Ｂの上端部の内側面に係止されると、これ以上収容部５０の上昇が行われない。これは、キャップ部１００Ａが前記固定部１００Ｂから解かれる最後の過程で、前記突条部５４が固定部１００Ｂに係止されるようにする。前記キャップ部１００Ａが分離されるように前記固定部１００Ｂ上で最後の回転を行う場合には、外部から一定の程度以上の回転力が加わることを要求する。
【００１７】
これは収容部５０の上端部の保持突部５３がキャップ部１００Ａの溝部１１１から離脱するようにするためである。すなわち、前記収容部５０の保持突部５３と前記キャップ部１００Ａの溝部１１１との係合力は、前記突条部５４が固定部１００Ｂに係止される前まではキャップ部１００Ａによって収容部５０が上昇するに十分な力になるが、前記突条部５４が固定部１００Ｂに係止された後にはこれを克服する程の力には及ばないため、前記保持突部５３と溝部１１１との係合が解除される結果に繋ぐことになる。
キャップ部１００Ａは、図５及び図６に示すように、固定部１００Ｂの上端の突出開口部１０４に螺合されている。前記キャップ部１００Ａは、その内側面に溝部１１１が設けられている。前記溝部１１１には前記収容部５０の保持突部５３が係合される。したがって、前記キャップ部１００Ａと収容部５０は、それぞれ前記溝部１１１と保持突部５３からなる係合手段によって結合される。
【００１８】
また、前記キャップ部１００Ａは、前記固定部１００Ｂの突出開口部１０４に螺合されて完全に締められる場合には、収容部５０の開口上端部を密閉させる機能を行う。
以下、以上の構成を有する実施例３による蓋の作用を説明する。
まず、収容部５０の収容室５１に収容物を入れると共に圧縮空気を注入させた後、キャップ部１００Ａを固定部１００Ｂの突出開口部１０４に締めることにより、前記収容物及び圧縮空気を密閉させる。ここで、前記収容物は抹茶、顆粒、粉末状薬剤などであり、前記圧縮空気は窒素ガスや空気などからなる。このような事前準備過程が完了した状態は図６に示されている通りである。
また、図７（ａ）に示すように、締まった状態のキャップ部１００Ａを回転させて一部開放すると、収容部５０の流出部５２が固定部１００Ｂのバルブ部２２２の傾斜部２２２−２（図６参照）から分離される。このような過程で収容室５１内の収容物が流出部５２の外に排出されてバルブ２２２の多数のリム部２２２−１（図６参照）の間を介して容器本体１３内の液体と混合される。また、収容室５１内の圧縮空気は流出部５２を介して収容物が排出されることを促進させる役割を果たす。
【００１９】
次に、図７（ｂ）に示すように、一部開放されたキャップ部１００Ａをもう少し開放すると、収容部５０の上端一側面の通孔Ｈが固定部１００Ｂの突出開口部１０４の端部を通過する。このような過程で、前記通孔Ｈは前記固定部１００Ｂの突出開口部１０４の外周面に設けられた空気注入路１０５（図８参照）を介して外部と連通する。これにより、圧縮空気によっても未だ流出部５２から排出されていない収容物が自由落下することを助ける。
また、キャップ部１００Ａをもう少し回転させると、収容部５０の中間部の突条部５４が固定部１００Ｂの上端に係止され、収容部５０がこれ以上上昇運動を行うことができなくなる。
【００２０】
ここで、前記キャップ部１００Ａを所定の力以上でもう少し回転させると、図７（ｃ）に示すように、収容部５０の保持突部５３とキャップ部１００Ａの溝部１１１との係合が解除されてキャップ部１００Ａが分離される。
以上のような作動過程を経て収容物が容器本体１３内の液体と混合され、この混合物を前記収容部５０の上端の開口部を介して飲料などの用途として使用することができる。
一方、混合後には、前記固定部１００Ｂと容器本体１３の口頸部１０との螺合を解除させることにより、蓋全体を容器本体１３から分離させることができる。
そして、収容物の混合を所望しない場合には、図６の結合状態で固定部１００Ｂを容器本体１３の口頸部１０から分離させることにより、蓋全体を容器本体１３から分離させればよい。
【実施例４】
【００２１】
本発明に係る蓋の実施例４は、図９に示すように、容器本体１３の口頸部１０に結合し、前記口頸部１０の内部に挿入されるシリンダ空間部１０３が備えられた固定部１００Ｂと、内部に収容室５１を有し、前記シリンダ空間部１０３に挿入される収容部５０と、前記固定部１００Ｂの上端部に結合したキャップ部１００Ａとから構成される。
固定部１００Ｂは、実施例３と同様に、下部が外部円筒１０１と内部円筒１０２の二重円筒の形状をしている。内部円筒１０２の下端部にはバルブ部２２２が設けられている。実施例３とは異なり、シリンダ空間部１０３の下部側面が開口されている。前記バルブ部２２２は、前記シリンダ空間部１０３の下方に垂直方向に延長されている多数のリム部２２２−１と、前記多数のリム部２２２−１の下端部に設けられ、上方に膨出した中心部を有する曲面部２２２−２とからなる。
【００２２】
収容部５０は、実施例３とほぼ同様であるが、側面部に突条部が設けられず、下端開口部の内側面が曲面からなっておらず、垂直方向に延長されている。前記収容部５０の下端部の流出部５２は傾斜面をもっている。
次に、以上のような構成を有する実施例４の作用について説明する。
収容部５０の内部には半固形物、すなわちアイスクリーム、ワサビ、唐辛子味噌、マヨネーズなどが入っており、容器本体１３の内部にはこれに対応してサイダー、その他の機能性飲料、醤油などが入っている。
たとえば、アイスクリームとサイダーの場合は、固定部１００Ｂの上端に螺合されたキャップ部１００Ａを回転させれば収容部５０が上昇し、これにより前記収容部５０の開口された下端側面部を介して内部のアイスクリームが容器本体１３内のサイダーと混合される。迅速な混合のためには容器本体１３を揺らすこともできる。
【実施例５】
【００２３】
本発明に係る蓋の実施例５は、図１０に示すように、容器本体１３の口頸部１０に結合し、前記口頸部１０の内部に挿入されるシリンダ空間部１０３が備えられた固定部１００Ｂと、内部に収容室５１を有し、前記シリンダ空間部１０３に挿入される収容部５０と、前記固定部１００Ｂの上端部に突設された結合部材１１３によって回転可能に結合した調節部１００Ｃと、前記調節部１００Ｃの上端部に螺合されたキャップ部１００Ａとから構成される。前記調節部１００Ｃは、前記固定部１００Ｂとの間に介在されて液体の漏洩を防止するＯリング１１２を含む。前記結合部材１１３は調節部１００Ｃの下端部に設けられた溝に結合する。したがって、前記調節部１００Ｃと固定部１００Ｂとは相対的な回転運動が可能になる。バルブ部２２２は実施例４と同一の構造を有する。
そして、図１０に示すように、前記調節部１００Ｃは収容部５０の上端部に螺合されている。すなわち、前記調節部１００Ｃの回転によって前記収容部５０が上昇又は下降する。前記収容部５０の内部には、実施例４と同様に、半固形物、すなわちアイスクリーム、ワサビ、唐辛子味噌、マヨネーズなどが入っており、容器本体１３の内部にはこれに対応してサイダー、コーラ、その他の機能性飲料、醤油などが入っている。
【実施例６】
【００２４】
本発明に係る蓋の実施例６は、図１１に示すように、容器本体１３の口頸部１０に結合し、前記口頸部１０の内部に挿入されるシリンダ空間部１０３が備えられた固定部１００Ｂと、内部に収容室５１を有し、前記シリンダ空間部１０３に挿入される収容部５０と、前記固定部１００Ｂの上端部に突設された結合部材１１３によって回転結合した調節部１００Ｃと、前記調節部１００Ｃの上端部に螺合されたキャップ部１００Ａとから構成される。
実施例６の発明は、実施例５とほぼ同様であるが、固定部１００Ｂの内部円筒が容器本体１３の内部深くに突出しており、これに相応して調節部１００Ｃの長さが長くなっていることが実施例５と異なる。そして、前記キャップ部１００Ａはプラスチック材質からなり、上端部に吐出口１１４が設けられている。前記吐出口１１４は別途の栓手段を備えることもできる。
前記固定部１００Ｂ及び収容部５０が容器本体１３の内部に突出することにより、溶液の混合が容易に行われる。
前記容器本体１３は、前記吐出口１１４を介して内部の内容物を搾り上げることが可能な軟質の合成樹脂材から構成することもできる。
【実施例７】
【００２５】
本発明に係る蓋の実施例７は、図１２に示すように、容器本体１３の下端部に設けられた口頸部１０に結合し、前記口頸部１０の内部に挿入されるシリンダ空間部１０３が備えられた固定部１００Ｂと、内部に収容室５１を有し、前記シリンダ空間部１０３に挿入される収容部５０と、前記固定部１００Ｂの上端部に突設された結合部材１１３によって回転結合した調節部１００Ｃとから構成される。
前記調節部１００Ｃは、下端部が塞がっているキャップの機能を兼備する。
このような構成により、実施例７の発明の原理は、実施例６と同一であるが、蓋の構成が容器本体１３の下端部に結合することが実施例６と異なる。
【実施例８】
【００２６】
本発明による容器の蓋は図１３（ａ）（ｂ）に示されたように、添加物キャップ部１００Ｆと、添加物キャップ部１００Ｆの中央下側へ筒状態で形成された添加物流出部５２と、添加物流出部５２に付着された破裂性の膜３２と、バルブコックＣと、出っ張った部分１０と、円錐バルブ型の破裂手段２２Ｆ等で構成される。
すなわち、添加物キャップ部１００Ｆは、容器本体１３の飲み口部分とネジ結合される形態で形成される。このような添加物キャップ部１００Ｆの中央下側から添加物流出部５２が延出形成されるものである。
添加物流出部５２は、添加物を収納できるようラッパの形態で形成される。その下断面には、破裂性の膜３２が付着され、上記の添加物流出部５２下側の穴を塞ぐようになっている。
それだけでなく、上記添加物キャップ部１００Ｆは、その上面に穴Ｈが開くように形成され、また、穴Ｈを開閉できるように、バルブコックＣが具備されている。
バルブコックＣは、容器本体１３の飲み口部分上段に設けられた出っ張り部分１０により押され、開くようになる。
また、円錐バルブ型の破裂手段１２は、液体の貫通ができる構造で形成され、容器本体１３の飲み口部分内側に位置・固定される。このような円錐バルブ型の破裂手段１２は、添加物キャップ部１００Ｆが下降する際、破裂性の膜３２を穿孔破裂させられるようになっている。
【００２７】
すなわち、円錐バルブ型の破裂手段２２Ｆは、上記添加物キャップ部１００Ｆの添加物流出部５２下側へ入ることにより、破裂性の膜３２を穿孔破裂させられるように尖った突起物になっている円錐バルブ部１４と、前記円錐バルブ部１４の下の外周面から放射線状に延長された多数のリム部１２４と、容器本体１３の飲み口部分内側の結合位置で拘束されるように、多数のリム部１２４の外郭先端部に延長するリング部２４からなる。
上記のように構成された本発明は、添加物キャップ部１００Ｆを回し下降させることにより、破裂性の膜３２が円錐バルブ部１４により破裂穿孔される（図１３（ｂ）参照）。
このときバルブコックＣが出っ張り部分１０により押されて上がり、添加物キャップ部１００Ｆ上面の穴Ｈを開けるようになる（図１３（ｂ）参照）。
一方、上記添加物キャップ部１００Ｆを回して上昇させることにより、破裂性の膜３２が穿孔することにより開口された添加物流出部５２を通じて、添加物キャップ部１００Ｆ上側から収納物が流出する。流出した収納物は、多数のリム部１２４の間の空間へ抜けて容器本体１３内の収納物と混ざり合う（図１３（ｂ）参照）。
このとき、添加物キャップ部１００Ｆを回転上昇させて開く時、添加物が収納された部分、すなわち、添加物流出部５２内部に作用される真空力が別途、作用せず自然に解消される。
よって、添加物キャップ部１００Ｆの添加物流出部５２から円滑に添加物が排出される。
【実施例９】
【００２８】
本発明による容器の蓋は図１４ならびに図１５に示したように、添加物を収納できるように、容器型の添加物収納部１１００と、上記添加物収納部１１００と結合されたキャップ部１０５０ならびに、上記添加物収納部１１００とキャップ部１０５０により造成された空間と容器本体１１３の空間を選択的に開封できるようにした開閉手段を含んで構成されている。
上記、添加物収納部１１００は、一定の容量の添加物を収容できるような容器型であり、その下部には、上記キャップ部１０５０によって詰められた開口状態のもので形成されている。
すなわち、上記キャップ部１０５０は、上記のように添加物収納部１１００の下側の開口部を塞ぐ形で添加物収納部１１００と結合し、その内部にラッパ型の添加物排出段１０５２が一体化されており、容器本体１０１３の飲み口部分に外接状態でネジ回しの原理で結合されるように形成されている。
また、開閉手段は上記のキャップ部１０５０の昇降作用によって、その多数の排出口を開け閉めできるようにし、上記のキャップ部１０５０の添加物排出段１０５２とネジ回しの原理で結合し、これと同じ状態で、上記容器本体１０１３の飲み口部分に外接状態でネジ回し結合されるようになっている。
【００２９】
すなわち、上記開閉手段は筒部分１１３９ならびに多数のリム１１２４で形成されたゲート部１１２０Ｋと弾性部分Ｓならびにバルブ部分Ｖがあるのだが、上記、ゲート部１１２０Ｋは多数の穴Ｈが、その壁の下に向かって開いていて、その上側から上記のキャップ部１０５０の添加物排出段１０５２が内接状態でネジ結合された筒部分１１３９の下側外周へ放射線状に配置された多数のリム１１２４の先端部が上記容器本体１０１３の飲み口部分の内部に結合・固定されるように構成されている。
また、このようにゲート部１１２０Ｋをなす上記、弾性部分Ｓは上記、ゲート部１１２０Ｋの内部から上記キャップ部１０５０の添加物排出段１０５２をはじくようになっている。上記、バルブ部分Ｖは、このような弾性部分Ｓによった上昇弾力が作用され、上記のキャップ部１０５０の添加物排出段１０５２によった下降作用により押され、このような作用によって上記ゲート部分１１２０Ｋの筒部分１１３９に開いた多数の穴Ｈを開け閉めできるようになっている。
一方、上記の容器本体１０１３の飲み口部分とネジ結合するキャップ部１０５０、ならびにこのようなキャップ部１０５０の添加物排出段１０５２とネジ結合されたゲート部１１２０Ｋの筒部分１１３９は同一ピッチでネジ結合されることで、螺旋回転によってキャップ部１０５０が円滑に昇降されるようになる。
【実施例１０】
【００３０】
図１６ならびに図１７は、上記の開閉手段が、上記のキャップ部１０５０の添加物排出段１０５２が密接したり、離隔したりするとき、この添加物排出段１０５２を開け閉めするようになるバルブ部Ｖと、このバルブ部Ｖの外周面に放射線状に配置されて延長し、その先端部が上記の容器本体１０１３の飲み口部分の内部に結合・固定される多数のリム１１２４から形成された本発明の別の実施例を表している。
【実施例１１】
【００３１】
図１８ならびに図１９は上記、開閉手段が、上記のキャップ部１０５０の添加物排出段１０５２先端部が詰まった形態で形成されており、上記キャップ部１０５０の回転半径より多くの半径を持った一定の長さの弓型で、上記添加物排出段１０５２先端部の外周面にある突起部１０３０が形成された構造になっている本発明のまた別の実施例に関するものである。
それだけでなく、本発明のまた別の実施例では、上記の突起部１０３０が開口形成されるようになっており、これと同じように開口された突起部１０３０の開口部を塞ぐことができ、また、容易に破裂する破裂性の膜１０３２を上記突起部１０３０に付着させ、構成されている。
また、上記キャップ部１０５０の回転によって、上記破裂性の膜１０３２を切り取れるように、上記の破裂性の膜１０３２と相応した位置で上記、容器本体１０１３の飲み口部分内側に延長形成された投入切り取り歯１０３４がもっと備えられるようになる。
【００３２】
以上のように構成されており、容器本体１０１３の飲み口からキャップ部１０５０を回して上昇させると、開閉手段が働きキャップ部１０５０の添加物排出段１０５２が開く。これにより、キャップ部１０５０と添加物収納部１１００に基づき組成たれた空間を容器本体１０１３の空間に通じさせるようになる。従って、添加物収納部１１００に収納されていた添加物が容器本体１０１３へ流れ出し、混ざり合う。
このとき、添加物収納部１１００に収納された添加物の上側には真空状態による力が働き、これにより添加物が円滑に容器本体１０１３へ流れ出さないのだが、上記、添加物収納部１１００上部に小さな空気口を開けることにより、この問題を解決した。
一方、上記突起部１０３０は容器本体１０１３の飲み口部分とネジ結合されるキャップ部１０５０の螺旋ピッチに相応する勾配した形になっており、キャップ部１０５０がネジ回転することによって、容器本体１０１３の飲み口部分から上昇する際、投入用切り取り歯１０３４による破裂性の膜１０３２を切り取って破裂することが円滑に働くようになる。
それに、上記のように多くの実施例から、上記の添加物収納部１１００上面にバルブコックＣが設置された構造が含まれ、このようなバルブコックＣの開閉作用によって開口ならびに閉鎖された穴を通じて外部から空気が入り込むことにより、添加物収納部１１００からの収納物流出作用が円滑に働くようにもなる。
【実施例１２】
【００３３】
図２０ならびに図２１は、上記の開閉手段が、上記のキャップ部１０５０の添加物排出段１０５２先端部が詰まった形で形成され、容易に切り取られる切り取り膜１０３２Ｋから形成された構造になっている本発明のまた別の実施例について表した図面である。
また、上記切り取り膜１０３２Ｋの外郭部分の下側面に輪Ｒが延長されており、このような輪Ｒは、上記切り取り膜１０３２Ｋのどの法線上からも集まるような構成になっていて、上記輪Ｒが、上記の切り取り膜１０３２Ｋに完全に密着しないように、輪Ｒの切り取り膜１０３２Ｋ面に出っ張った部分１０５５が突起した形になっている。
それだけでなく、本発明のまた別の実施例では、上記輪Ｒが回転上昇しながら引っ掛かるようになる投入部分１０３４Ｋが上記輪Ｒと相応する位置の容器本体１０１３内側壁面に二重射出により出っ張り、延長されている。
一方、上記切り取り膜１０３２Ｋは、その切り取り線が巴形で形成され、切り取る際、添加物排出段１０５２先端部の開口面積を最大にするようにもなっている。
このように構成されることによって、容器本体１０１３の飲み口部分からキャップ部１０５０を回して上昇させると、開閉をなす輪Ｒが投入部分１０３４Ｋに引っ掛かり、切り取られながら、キャップ部１０５０の添加物排出段１０５２が最大に開くようになる。
したがって、キャップ部１０５０と添加物収納部１１００に組成された空間が容器本体１０１３の空間に通じるようになり、よって添加物収納部１ｌ００に収められていた添加物が容器本体１０１３に流入して混合される。
【実施例１３】
【００３４】
図２２ないし図２３は、上記のように本発明の多数の実施例が適用される容器本体１０１３の別の実施例に関することで、容器本体１０１３下部にネジＳａを持った別のくちばし部分１０９１を形成している。
これに、混合物排出段を交換できるようにした状態で結合され、混合物排出手段を覆いかぶせる別のキャップ部１０５１を具備されたものである。
上記の混合物排出段は図２２と図２３に示したように、上記ネジＳａと締結できる別のネジＳｂを持った混合物排出口１０５９で形成され、このような混合物排出口１０５９は人口乳首でもあるし、インクを噴出させることもできるディスペンサーであることもある。
【実施例１４】
【００３５】
図２４は、上記のような本発明の多くの実施例が適用される容器本体１０１３の別の実施例に関することで、上記の混合物排出手段が上記ネジＳａと締結される別のネジＳｃを持った噴霧器で形成されたりもする。
上記のようにすべての実施例にとって、キャップ部１０５０と添加物収納部１１００（図１４ならびに図１５参照）がネジ締結される構造、ならびに、一方向の鋸の歯１１０３ａ、１１０３ｂで締結された構造で結合される場合もある。
すなわち、キャップ部１０５０と添加物収納部１１００がネジ締結された後、添加物収納部１１００でネジ結合の解体方向ヘキャップ部１０５０から集まらせないようにし、キャップ１０５０と添加物収納部１１００の容易な分離を防ぐことができるものである。
【実施例１５】
【００３６】
図２５、図２６（ａ）ないし図２６（ｄ）は本発明の実施例１５に係る容器を示す図であって、図２５は分解斜視図、図２６（ａ）ないし図２６（ｄ）は作動状態を示す断面図である。本発明の実施例１５に係る容器は、口頸部２１１０を有する容器本体２１００と、口頸部２１１０の内側に挿着され、添加物収容空間２２０２を提供する添加物貯蔵部材２２００と、口頸部２１１０に螺合され、前記添加物貯蔵部材２２００と連動し、添加物収容空間２２０２を密閉するキャップ２３００とを含んでなる。
口頸部２１１０の外周面には雄ネジ２１１２が設けられ、この雄ネジの下端にはフランジ２１１４が半径方向の外側に突設されている。また、口頸部２１１０の内周面には螺旋状の螺合突条２１１６が半径方向の内側に突設されている。
【００３７】
添加物貯蔵部材２２００は、両端が開放された円筒状の形をするもので、外周面の軸方向中央部には半径方向の外側に環状の上昇突条２２１０が一体に突設される。上昇突条２２１０は前記雄ネジ２１１２の傾斜に対応する傾斜を持つように設けられることが好ましい。また、添加物貯蔵部材２２００は、上昇突条２２１０を基準として、一側は容器本体２１００の口頸部２１１０に挿入される挿入部２２２０、他側は口頸部２１１０の外側に位置する露出部２２３０として構成される。上昇突条２２１０は露出部に含まれる。挿入部２２２０の外周面には前記螺旋状の螺合突条２１１６と結合して添加物貯蔵部材２２００の軸方向移動を制限する螺旋状の螺合溝２２２２が設けられ、露出部２２３０には連通孔２２３２が設けられている。また、挿入部２２２０の端部には、半径方向の内側に突設され、中央部に排出孔２２３４を有するバルブシート２２２４が一体になっている。
【００３８】
キャップ２３００は、一端が開放され且つ他端が閉鎖された円筒状の形をするもので、円筒状の外壁２３１０と、外壁の一側を密閉させる密閉部２３２０とからなる。開放端部の内周面には前記口頸部２１１０の雄ネジ２１１２に螺合される雌ネジ２３１２が設けられる。これにより、キャップ２３００は容器本体２１００に対して選択的に着脱可能になる。密閉部２３２０の中央には軸方向に延長される支持軸２３４０が一体に設けられ、支持軸２３４０の端部には前記バルブシート２２２４に接して排出孔２２３４を選択的に開閉するバルブ部材２３４２が固定されている。バルブ部材２３４２は、軟質材からなっているため、バルブシート２２２４に接する状態で圧力を加えると、圧縮されてさらにバルブシートに密着することになる。これは良好なシーリング効果を持たせるのに効果的である。また、キャップ２３００の密閉部２３２０側には、外壁２３１０から一定の距離だけ内側に離隔した位置で軸方向に延長される円筒状の内壁２３３０が一体に設けられる。
【００３９】
この内壁２３３０は前記添加物貯蔵部材２２００の露出部２２３０の内周面に嵌合されるように構成される。内壁２３３０の外径は露出部２２３０の内径に対して嵌合公差を中間嵌めとすることがシーリング性能を良好に保つのに好ましい。また、外壁２３１０と内壁２３３０には、互いに同一線上に配置されるように貫通する外部注入孔２３１４及び内部注入孔２３３２が設けられる。それぞれの外部注入孔２３１４及び内部注入孔２３３２は、前記添加物貯蔵部材２２００が口頸部２１１０から解かれるとき、連通孔２２３２と予定の位置で連通できるように設けられる。好ましくは、キャップ２３００が口頸部から所定距離だけ解かれた状態で、注入孔２３１４、２３３２と連通孔２２３２とは一直線上に置かれるように構成される。
前記添加物貯蔵部材２２００の連通孔２２３２は螺子線の方向に沿って長孔状に設けられ、キャップ２３００の回転時に一定の角度以上連通した状態を保持するように構成することが好ましい。
本発明によれば、前記螺旋状の螺合突条２１１６及び螺合溝２２２２は、添加物貯蔵部材２２００の軸方向移動を制限するための機能及びシールの機能を持つものであるが、必須的な構成要素ではなく、付加的な構成要素として理解されるべきである。すなわち、内容物が収容空間内に所定の圧力を形成する物質の場合、添加物貯蔵部材２２００の軸方向移動に対する阻止力が要求される際に制限的に選択される。
【００４０】
次に、このような本発明に係る容器の作動状態を説明する。ここで、便宜上、「内容物」とは容器本体２１００に収容される物質を意味し、「添加物」とは添加物貯蔵部材２２００に収容される物質を意味する。図２６（ａ）には密閉状態、すなわち製品の初期状態が示されている。図２６（ａ）によれば、内容物は密閉された内容物収容空間２１０２に収容され、添加物も内容物収容空間２１０２から隔離した状態の添加物収容空間２２０２に収容されている。添加物貯蔵空間２２０２は内壁２３３０と添加物貯蔵部材２２００とバルブ部材２３４２とバルブシ一ト２２２４によって密閉される。
この際、外部注入孔２３１４と内部注入孔２３３２とは、連通孔２２３２より容器本体２１００側にさらに進入した状態で互いにずれているので、添加物貯蔵部材２２００内の空間は密閉状態を保つ。しかも、キャップ２３００の内壁２３３０が添加物貯蔵部材２２００の露出端２２３０の内壁に嵌め込まれており、上昇突条２２１０がキャップ２３００の外壁２３１０の内面に密着した状態を保っているので、添加物収容空間２２０２は良好な密封状態を保つ。
【００４１】
このような状態では、キャップ２３００を開放される方向（反時計方向）に回転させると、図２６（ｂ）に示すように、バルブ部材２３４２が上昇してバルブシート２２２４との間に隙間が発生し、添加物が容器本体２１００内に投入されて内容物と混合される。
この際、キャップ２３００が回転するにつれて、外部注入孔２３１４及び内部注入孔２３３２は、螺旋状に回転上昇し、予定の位置で添加物貯蔵部材２２００の連通孔２２３２と一致することになる。これにより、大気圧が添加物収容空間２２０２に作用し、添加物の投入が円滑に行われる。図２６（ｂ）には、外部注入孔２３１４、内部注入孔２３３２及び連通孔２２３２が同一線上に位置して排出孔２２３４が少し開放されている状態が示されているが、実際、排出孔２２３４は外部注入孔２３１４、内部注入孔２３３２及び連通孔２２３２が同一線上に位置する角度が所定の角度範囲を保つ。この際、排出孔２２３４は、一致し始める初期状態では密閉された状態を保ち、所定の角度を超えた状態では開放される。その必要性は図２６（ｃ）の説明で述べる。
引き続きキャップ２３００を反時計方向に回転させると、図２６（ｃ）に示すように、雌ネジ２３１２が添加物貯蔵部材２２００の上昇突条２２１０に係止される。この時からのキャップ２３００の回転は、添加物貯蔵部材２２００に軸方向に移動する力を提供する。また、添加物貯蔵部材２２００は螺旋状の螺合溝２２２２が螺旋状の螺合突条２１１６から離脱して口頸部２１１０から分離される。
【００４２】
以上、製品の出荷時に既に添加物が収容されている状態について説明してきたが、本発明は、添加物収容空間を空の状態にして製品を出荷し、使用者によって現場で要求される添加物を収容空間に注入して使用することが可能である。
すなわち、本発明は、キャップ２３００を反時計方向に回転させて図２６（ｂ）の直前位置、すなわちバルブ部材２３４２とバルブシート２２２４との間に隙間が設けられる前の位置で外部注入孔２３１４及び内部注入孔２３３２が連通孔２２３２と一致し始める。これは、連通孔２２３２が長孔状に設けられ、キャップ２３００の回転時に一定の角度の間外部注入孔２３１４と内部注入孔２３３２とを連通させる状態を保つように構成されることにより可能になる。したがって、このような状態で使用者が所望の量の添加物を注入すると、添加物は容器本体２１００内に投入されず、添加物貯蔵部材２２００内の収容空間２２０２に貯蔵された状態を保つ。
【００４３】
このような状態でキャップ２３００を時計方向に回転させると、バルブ部材２３４２はバルブシート２２２４に一層堅く密着して初期の製品出荷状態のようになり、逆に反時計方向に回転させると、添加物は図２６（ｂ）の説明と同様の作用で容器本体２１００内に投入される。
図２７には本発明に係る容器本体の口頸部に対する成形例が示されている。容器本体２１００の口頸部２１１０は、螺旋状の螺合突条２１１６を効果的に構成するために、注入口部材２１２０を別途に成形し、これを容器本体２１００の入口に組立成形する二重射出構造とすることが好ましい。
【実施例１６】
【００４４】
図２８には本発明の実施例１６に係る容器の構成が示されている。ここには、キャップ２３００と添加物貯蔵部材２２００の相互作動のために上昇突条との置換が可能な手段が開示されている。図２８によれば、この手段は、一側が支持軸２３４０に結合され、支持軸２３４０から軸方向に延長される連結軸２３５０と、この連結軸２３５０の端部に一体に設けられる円盤型の上昇板２３５２とからなる。上昇板２３５２は、上面が添加物貯蔵部材２２００の底面と密接しており、収容空間２２０２内の添加物が容器本体２１００に投入されることを制限しないように開放孔２３５４が設けられている。
実施例１６の作動は、キャップ２３００を反時計方向に回転させると、予定の位置で上昇板２２５２が添加物貯蔵部材２２００の底面に接触し、この接触時点から引き続きキャップ２３００を反時計方向に回転させると、キャップの回転力は添加物貯蔵部材２２００を軸方向に移動させる。これにより、螺合溝２２２２が螺合突条２１１６から離脱して添加物貯蔵部材２２００が口頸部２１１０から分離される。このような実施例１６は、実施例１５と同様に、添加物貯蔵部材２２００の外側に上昇突条を必要としない。すなわち、上昇突条はシール機能としての役割のために、より軟らかい形のリング状に存在することは可能である。
【実施例１７】
【００４５】
図２９には本発明の実施例１７に係る容器の構成が示されている。ここには、キャップ２３００と添加物貯蔵部材２２００とのシール構造をさらに緊密に維持させる構造が開示されている。このため、添加物貯蔵部材２２００の露出部の内周面には段差２２３４が設けられる。段差２２３４にはキャップ２３００の内壁２３３０の端部が軸方向に一定の深さ挿入できるように第１シール溝２２３６が設けられている。また、内壁２３３０の外側の密閉部２３２０には、露出部２２３０の端部が軸方向に一定の深さ挿入できるように、第２シール溝２３２２が設けられている。
前記添加物貯蔵部材２２００は、弾力と伸縮性のあるシリコン、無毒性ゴム、無毒性ＰＶＣなどの軟質材料からなり、表面にコーティング処理を施して内壁２３３０との結合によって効果的なシーリングを実現することができる。これは、収容空間２２０２内の添加物が炭酸飲料のようにガスを含む物質のとき、ガスの漏れを効果的に制限することができる。
【実施例１８】
【００４６】
図３０には本発明の実施例１８に係る容器の構成が示されている。ここには、本発明の容器をフラスコ、試験管、葡萄酒瓶、缶類などの口頸部の外側にネジが設けられていない容器に適用した実施例が開示されている。図３０によれば、口頸部２４１０の外周面には半径方向の外側に突出する環状のストッパー２４１２が設けられている。
添加物貯蔵部材２２００は、本発明の実施例１５と同一の構成なので、その詳細な説明は省略し、符号は同一のものを付する。添加物貯蔵部材２２００の露出部２２３０の内周面には段差２２３４が設けられる。段差２２３４には、キャップ２５００の内壁２５３０の端部が軸方向に一定の深さ挿入できるように、第１シール溝２２３６が設けられている。
【００４７】
キャップ２５００は、一端が開放され他端が密閉された円筒状の形をするもので、円筒状の外壁２５１０と、外壁の一側を密閉させる密閉部２５２０とからなる。開放端部の内周面には、前記口頸部２４１０のストッパー２４１２に係止されるフック２５１２が設けられている。キャップ２５００の密閉部２５２０側には、外壁２５１０から一定の距離だけ内側に離隔した位置で軸方向に延長される円筒状の内壁２５３０が一体に設けられる。この内壁２５３０は前記添加物貯蔵部材２２００の露出部２２３０の内径に嵌合されるように構成される。内壁２５３０の外側の密閉部２５２０には、露出部２２３０の端部が軸方向に一定の深さ挿入できるように第２シール溝が設けられている。
また、外壁２５１０と内壁２５３０には、それぞれ一直線上に貫通する外部注入孔２５１４及び内部注入孔２５３２が設けられる。それぞれの外部注入孔２５１４及び内部注入孔２５３２は前記添加物貯蔵部材２２００の連通孔２２３２と予定の位置で連通できるように設けられる。好ましくは、キャップ２５００が口頸部から所定の距離だけ軸方向の外側に移動した状態でそれぞれの注入孔が一直線上に置かれるように構成される。また、キャップ２５００を軸方向に分離し易くするため、密閉端側には半径方向の外側に拡張されて把持部２５２４が設けられている。
【００４８】
このような実施例１８は、把持部２５２４を軸方向に引っ張ると、フック２５１２がストッパー２４１２から離脱し、一定の距離移動すると、フック２５１２が上昇突条２２１０に係止されて添加物貯蔵部材２２００を口頸部２４１０から分離させる。そのような過程で実施例１５における作用と同一の作用によって添加物収容空間２２０２内の添加物が容器本体２４００の内容物収容空間２４０２に投入される。したがって、このような実施例１８は前述した口頸部の周縁にネジが提供されていない容器に効果的に適用することができる。
【実施例１９】
【００４９】
図３１（ａ）及び図３１（ｂ）は本発明の実施例１９に係る容器の構成を示す図である。ここには、本発明を容器の底面に構成した例について開示されている。
これによれば、容器本体２６００の下部壁２６２０に連通孔２６２２が設けられ、下部壁２６２０から下部に延長されかつ外周面に係止溝２６１２を有する延長壁２６１０が一体に設けられる。また、一側が開放される円筒状からなり、前記延長壁２６１０内にスライド可能に挿入される添加物貯蔵部材２７６０を含む。添加物貯蔵部材２７００の中央部には軸方向に支持軸２７１６が突設され、支持軸２７１６の端部には前記連通孔２６２２を選択的に開閉するバルブ部材２７１８が固定されている。添加物貯蔵部材２７００の円筒部２７１０の外側には雄ネジ２７１２が設けられる。
添加物貯蔵部材２７００の外側には、一側が開放される円筒状の作動部材２８００が配置される。作動部材２８００は、開放端には前記延長壁２６１０の係止溝２６１２に係止される係止突条２８１２が設けられ、内側面には前記添加物貯蔵部材２７００の雄ネジ２７１２に螺合する雌ネジ２８１４が設けられる。係止溝２６１２と係止突条２８１２との間には、シール部材２８３０が介在されて内容物の漏洩を防止する。また、延長壁２６１０の下端と円筒部２８１０の内側には軸方向に嵌合される折曲密着部２７１４を置くことにより、経路を長く構成することが好ましい。
【００５０】
このような本発明の実施例１９では、製品の出荷時に図３１（ａ）に示すように添加物貯蔵部材２７００が図面を基準として上昇位置にあるので、バルブ部材２７１８が連通孔２６２２を塞いでいる。したがって、添加物収容空間２７０２と内容物収容空間２６０２とが互いに隔離した状態を維持し、作動部材２８００を回転させると、雌ネジ２８１４及び雄ネジ２７１２が相互作用する。すなわち、雌ネジ２８１４が回転することにより、添加物貯蔵部材２７００が下降する。これにより、連通孔２６２２が開放されるので、内容物収容空間２６０２と添加物収容空間２７０２とが連通可能になる。
このような状態で、使用者は容器本体２６００を逆にし、或いは上下に揺動させて両空間の内容物と添加物を混合することができる。このような実施例では、添加物貯蔵部材を容器の下部に配置することにより、より大容量の添加物投入が必要な場合に容易に適用することができる。
【実施例２０】
【００５１】
図３２（ａ）及び図３２（ｂ）には本発明の実施例２０に係る容器の構成が示されている。この実施例では２種の添加物が使用できるようにするため、添加物収容空間を備えている。本発明の実施例１５と同一の構成は、詳細な説明を省略し、符号を同一に引用する。図３２（ａ）及び図３２（ｂ）によれば、外周面に雄ネジ２１１２が設けられる口頸部２１１０を有する容器本体２１００と、口頸部２１１０の内側に圧入され、添加物収容空間を形成する添加物貯蔵部材２９００と、口頸部２１１０に螺合され、前記添加物貯蔵部材２９００と連動し、添加物収容空間を密閉すると同時に内部を２つの隔離した添加物収容空間２９０２、２９０４に区画するキャップ２９４０とから構成されている。
添加物貯蔵部材２９００は、一側が開放された円筒状からなり、中央部の外周面には、半径方向の外側に突出するリング状の上昇突条２９１０が一体に設けられる。添加物貯蔵部材２９００の開放端には連通孔２９１２が設けられ、添加物貯蔵部材２９００の下端部の周りには複数の排出孔２９１４が設げられている。また、添加物貯蔵部材２９００の底面は、内容物収容空間２１０２への円満な投入のために中央部分が上方に膨出している。また、底面には、それぞれ後述の内壁２９７０と分離壁２９８０の下端とが接する部分にシール部材２９１８を設置して添加物収容空間のシールを効果的に図るように構成される。
【００５２】
キャップ２９４０は、一側が開放され他側が密閉部２９５０によって密閉される円筒状の外壁２９６０を含む。密閉部２９５０には、添加物貯蔵部材２９００の上端が挿入されるシール溝２９５２が設けられる。外壁２９６０の開放端の内周面には前記口頸部２１１０の雄ネジ２１１２に螺合される雌ネジ２９６４が設けられ、密閉部２９５０の中央には軸方向に延長される分離壁２９７０が一体に設けられ、キャップ２９４０の密閉部２９５０側には外壁２９６０から一定の距離内側に離隔した位置で軸方向に延長される円筒状の内壁２９７０が一体に設けられる。この内壁２９７０は前記添加物貯蔵部材２９００内に軸方向移動可能に嵌合される。また、外壁２９６０と内壁２９７０にはそれぞれ一直線上に貫通する外部注入孔２９６２及び内部注入孔２９７２が設けられる。外部注入孔２９６２、内部注入孔２９７２及び連通孔２９１２の構成及び作動は本発明の実施例１５と同一である。
【００５３】
このような構成を有する本発明の実施例２０では、図３２（ａ）のように分離壁２９８０によって相異した種類、例えば砂糖とクリーム粉末などの材料を分離して収容させた状態で保管することができ、使用時にはキャップ２９４０を回転させると、図３２（ｂ）に示すように壁２９７０が上昇して排出孔２９１４が開放されるので、それぞれの収容空間２９０２、２９０４内の添加物が内容物収容空間２１０２に投入される。この際、添加物は、底面が湾曲しているので、自重によって投入が円満に行われる。また、キャップがさらに回転すると、本発明の実施例１５と同様に、雌ネジ２９６４が上昇突条２９１０と干渉して添加物貯蔵部材２９００が口頸部２１１０から分離される。
このような実施例２０では、相異した２種の添加物を効果的に保管し、必要に応じて混合して使用することができる。さらに、添加物収容区間は排出孔２９１４及び分離壁２９８０の設計を適切に変更することにより、３つ以上の空間に区画することも可能になるので、いろいろの混合物を必要とする場合にも効果的に用いることができる。
以上、本発明は、幾つかの実施例によって説明されているが、これらの実施例に限定されず、本発明の技術的思想から逸脱しない範囲内における変更及び追加によって予想される全ての範囲を含むものである。例えば、添加物収容空間を容器本体の中央部に構成することも予想することができ、ひいては前記構成を連続して２つ以上連結することも予想することができる。
【実施例２１】
【００５４】
以下の実施例２１から実施例２５では、混合されていない完全な純粋状態で物質を安全に保管でき、時間が経過しても物質の成分効能の低下や変色、物質内浮遊物の発生及び沈澱などを排除できるようにすることで、化学的変化及び物理的変化に対する問題を同時に解消した、異種物質を実時間で混合させることが可能な容器の蓋を提供する。
また、以下の実施例では２つの容器を取り扱わなければならないという煩わしさ及び保管／運搬時の不便さを解消し、且つ２つの物質の別途包装作業及び別途容器製作に伴う人的、物的資源の浪費といった問題点も解消した、異種物質を実時間で混合させることが可能な容器の蓋を提供する。
さらに、定量混合及び実時間混合が可能であって、食飲料の混合における味の変化及び変質などの化学的変化と、薬品及び化学薬品の混合における物質効能の不完全な溶解などの物理的変化に対する問題を同時に解消した、異種物質を実時間で混合させることが可能な容器の蓋に関する。
要するに、以下の実施例では、１）内容物を容器本体から速く流出させることができ、２）毒物などの任意の物質を注入することができなく、３）容器本体の口頸部の内周面に係止段部を設けるための射出成形に対する作業上の難点の解消及び製造に対する所要時間の短縮により、作業性を改善し且つ生産性を増大させることができ、４）容器本体内にいずれの物体も残さないで撤収させることにより安全に使用することができる、異種物質を実時間で混合させることが可能な容器の蓋からなる。
【００５５】
実施例２１の容器の蓋は、図３３及び図３４に示すように、容器本体３０１３の口頸部の内側に結合される栓部材３１２０Ｋと、この栓部材３１２０Ｋによって開閉されるキャップ部材３０５０と、添加物を収容するように設けられ、前記キャップ部材３０５０の上側に結合される添加物収容部材３１００とを含んでなる。  前記容器本体３０１３の口頸部の内周面３０１６ａが上広下狭状の傾斜面からなっている。
前記栓部材３１２０Ｋは、その中央部位には板状バルブ部３１２２を有し、その板状パルプ部３１２２の周辺部位には多数の孔３１２４が穿設される形を取っている。さらに、前記栓部材３１２０Ｋは、前記板状パルプ部３１２２の中央上側に分割楔３１２６が立設され、その外周面が、前記容器本体３０１３の口頸部の、上広下狭状の傾斜面からなる内周面３０１６ａに相応する傾斜面３０１６ｂから構成されている。
【００５６】
一方、前記キャップ部材３０５０は、前記容器本体３０１３の口頸部に外接状態で螺合できるように雌ねじ部が設けられており、その内部にはバルブシート部３０５２を有するコーン部３０５４が一体に設けられており、前記コーン部３０５４の上端の一側部位に通孔３０１８が穿設されている構造になっている。
このようなキヤツプ部材３０５０の上側に結合される前記添加物収容部材３１００は、その下端内周縁に前記キャップ部材３０５０の上端外周縁が挿着される構造で出来ている。
このような構成を有する本発明の一実施例に係る容器の蓋は、図３５に示すように、容器本体３０１３の口頸部に、添加物収容部材３１００付きキャップ部材３０５０を螺合させると、容器本体３０１３の口頸部に位置していた栓部材３１２０Ｋから延長された分割楔３１２６のヘッド部が前記キヤツプ部材３０５０のバルブシート部３０５２を貫通してコーン部３０５４の内側に位置し、栓部材３１２０Ｋ及び分割楔３１２６が結合状態で維持されることになる。
【００５７】
また、図３６におけるキャップ部材３０５０を回して容器本体３０１３の口頸部から上方に移動させると、栓部材３１２０Ｋの板状バルブ部３１２２からバルブシート部３０５２が離れることにより、添加物収容部材３１００と容器本体３０１３とを連通させる経路が開放される。したがって、添加物収容部材３１００内に収まっていた添加物が、キャップ部材３０５０のコーン部３０５４及びバルブシート部３０５２、栓部材３１２０Ｋの多数の孔３０２４を介して容器本体３０１３内に流入し、この際、添加物収容部材３１００内の添加物の上部に作用する真空力が通孔３０１８を介して容器本体３０１３へ流入する空気によって解除されることにより、添加物収容部材３１００から添加物の落下流出がスムーズに行われる。
【００５８】
このように添加物の混合が完了すると、図３７に示すように、キャップ部材３０５０を添加物収容部材３１００と共に容器本体３０１３から完全分離することにより、添加物と混ざり合った内容物を容器本体３０１３から流出させて飲むか、或いは他の容器に注いで移すことができる。この際、容器本体３０１３の口頸部から、キヤツプ部材３０５０及び添加物収容部材３１００だけでなく、分割楔３１２６を含んだ栓部材３１２０Ｋも共に分離される。また、前記容器本体３０１３の口頸部の内周面３０１６ａと、これに相応する栓部材３１２０Ｋの外周面が傾斜面３０１６ｂからなっているので、栓部材３１２０Ｋが容器本体３０１３に対して容易に出入りできる。
【実施例２２】
【００５９】
本発明に係る他の実施例としての蓋は、前記実施例２１と同様の構成を有し、例えば茶色系統の色相で半透明に着色されたカバーＣをさらに含む構造で出来ている（図３８及び図３９参照）。
すなわち、前記添加物収容部材３１００が内在状態で上部結合手段によって結合され、その下端が前記容器本体３０１３の上部の外周面に下部結合手段によって着脱されるカバーＣをさらに含んでなる。前記上部結合手段は、前記添加物収容部材３１００の上端部の外周にフランジ状に突条３１００ａを突設し、前記カバーＣの上部の内周面に環状溝ＣＨを凹設して、この環状溝ＣＨに前記突条３１００ａが分離可能に結合できるようになっている。前記下部結合手段は、前記カバーＣの下端の内周面に突条Ｔを突設し、前記容器本体３０１３の上部の外周面の当該部位に環状溝Ｈを凹設して、この環状溝Ｈに前記突条Ｔが分離可能に結合できるようになっている。
【００６０】
このようにカバーＣがさらに備えられることにより、カバーＣの日光遮断機能によって、添加物収容部材３１００に収容された添加物の化学的／物理的変質を防止することができる。また、上述したように作用することにより、添加物収容部材３１００を透明な部材から構成することができるとともに、外力による添加物収容部材３１００の破損を防止することができる。この際、添加物収容部材３１００に収容された物質の損失も防止することができる。
尚、カバーＣが大きい直径を有するので、小さい力でも蓋全体を回して容易に開くこともできる。
【実施例２３】
【００６１】
前記実施例２１及び実施例２２と同様に、容器本体３０１３の口頸部の内側に結合される栓部材３１１２０Ｋ、この栓部材３１２０Ｋによって開閉されるキャップ部材３０５０、添加物を収容するように設けられ、前記キャップ部材３０５０の上側に結合される添加物収容部材３１００及びカバーＣから構成されるが、前記容器本体３０１３の口頸部の内周面に係止段部３０１４を設けることにより、前記栓部材３１２０Ｋが自由に定着できるようにすることもできる（図４０参照）。  このような構成を有することにより、容器本体３０１３の係止段部３０１４に定着された栓部材３１２０Ｋをキャップ部材３０５０及び添加物収容部材３１００の分離後に容器本体３０１３からさらに分離することにより、実施例２１と同様の作用効果を得ることができる。
【実施例２４】
【００６２】
本発明に係るさらに他の実施例としての蓋は、前記実施例２１〜実施例２３と同様に、容器本体３０１３の口頸部の内側に結合される栓部材３１２０Ｋ、この栓部材３１２０Ｋによって開閉されるキャップ部材３０５０、添加物を収容するように設けられ、前記キャップ部材３０５０の上側に結合される添加物収容部材３１００及びカバーＣとから構成されるが、前記キャップ部材３０５０に穿設される通孔３０１８にストロー３０１８ａが結合するようにすることもできる（図３３ないし図４０参照）。
これにより、キャップ部材３０５０の上側に収容された添加材が通孔３０１８から漏れないようにする効果、通孔３０１８からの空気の流入効果、及び添加物収容部材３１００から添加物の落下流出がさらにスムーズに行われるようにする効果を奏する。
【実施例２５】
【００６３】
本発明は、実施例２１と同様に構成された容器本体３０１３に第１、第２収容物３０６２、３０６６を有する第１、第２収容部材３０６０、３０６８、破裂性膜３０６４、切取り部材３０７０及びスカート部３０７２がさらに備えられた構造を有する容器の蓋を提供する（図４１参照）。すなわち、ねじ面と下側の開口部を有し、前記容器本体３０１３の下端から延長される第１収容部材３０６０をさらに備え、このような第１収容部材３０６０に、化学的な作用によって冷却作用を行う第１収容物３０６２が収容されるようにした。
また、このような状態の前記収容部材３０６０の下側開口部を破裂性膜３０６４で塞ぐようになっており、前記第１収容部材３０６０と外接状態で螺合されると共に、上方開口状態で前記第１収容物３０６２と混合されたときに化学的反応によって冷気を発生させる第２収容物３０６６が収容できる第２収容部材３０６８をさらに備える。
【００６４】
しかも、前記第２収容部材３０６８を回して上方に移動させるとき、前記破裂性膜３０６４を破裂させるように前記第２収容部材３０６８の内壁面に切取り部材３０７０をさらに備え、前記複数の収容部材３０６０、３０６８を取り囲むように容器本体３０１３の下側外周からスカート部３０７２を延長させる。前記容器本体３０１３の下部を、第１収容物３０６２が収容される第１収容部材３０６０に部分的に内在できるように形成することにより、冷気に対する熱交換面積を増大させることもでき、また第１収容物３０６２を真空状態にすることにより、第１収容物と混ざり合う第２収容物３０６６を第１収容物３０６２側へより容易に移動させることもできる。
【００６５】
前記実施例２１〜２５では、同一の条件が与えられると、２つの物質の混合により発生する問題点を解消することができ、混合されていない純粋状態で物質を保管できるため時間が経過しても物質の成分効能の低下や変色、物質内浮遊物の発生及び沈澱など化学的変化及び物理的変化を排除させることができ、一つの容器で異種物質を分離状態で収容することができるので、２つの容器を取り扱わなければならないという煩わしさや不便さを解消することもでき、２つの物質の別途包装及び容器製作による資源浪費などの問題、運送・保管に伴う問題、定量混合でない使用者の任意的混合が行われるしかないことから生ずる不完全な配合に対する不安感の問題、食飲料の混合における味の変化及び変質、薬品及び化学薬品の混合における物質効能の不完全な溶解及び変化作用などに対する問題も同時に解消することができるという利点を提供する。
【００６６】
また、前記実施例では、キャップ部材及び添加物収容部材と共に栓部材を容器本体から分離させ、添加物と混ざり合った内容物を容器本体から速く流出させることができるという利点を提供する。
また、本発明は、添加物収容部材内の添加物の上側に作用する真空カを解除させるために大気を流入させる通孔が、外部に晒さない状態でキャップ部材に穿設されることにより、この通孔を介しては任意の物質が流入できなくなり、添加物の純度維持に対する保障が確保されるうえ、任意の物質が毒物の場合にも飲用者に致命的な打撃が与えられる可能性が根本的に排除されるという利点を提供する。
しかも、本発明は、栓部材の位置を固定させるための係止段部を容器本体の口頸部の内周面に設けるによる射出成形作業の難点の解消及び製造時間の短縮により、作業性を改善し且つ生産性を向上させることができるという利点も提供する。
【図面の簡単な説明】
【００６７】
【図１】本発明の実施例１に係る蓋の構成を示す分解斜視図である。
【図２】図１の蓋の結合状態の外観を示す斜視図である。
【図３】図１の蓋の作用状態を示す断面図であって、（ａ）は閉蓋時、（ｂ）は開蓋時を示す図である。
【図４】本発明の実施例２に係る円錐バルブ部の他の実施例を示す図であって、（ａ）は構成を示す斜視図、（ｂ）は（ａ）の円錐バルブ部の適用状態及び構成を示す断面図である。
【図５】本発明の実施例３に係る蓋の構成を示す斜視図である。
【図６】図５の断面図である。
【図７（ａ）】図５の作動過程を示す断面図であって、キャップ部を一部解放した状態を示す図である。
【図７（ｂ）】図５の作動過程を示す断面図であって、キャップ部をさらに解放した状態を示す図であある。
【図７（ｃ）】図５の作動過程を示す断面図であって、キャップ部が分離した状態を示す図であある。
【図８】図５の分解斜視図である。
【図９】本発明の実施例４を示す断面図である。
【図１０】本発明の実施例５を示す断面図である。
【図１１】本発明の実施例６を示す断面図である。
【図１２】本発明の実施例７を示す断面図である。
【図１３】本発明の実施例８を示す断面図であって、（ａ）は膜が穿孔する前の状態、（ｂ）は膜が穿孔した状態を示す図である。
【図１４】本発明の実施例９の構成を表す分解図である。
【図１５】本発明の実施例９を示す部分断面図である。
【図１６】本発明の実施例１０の構成を表す分解図である。
【図１７】本発明の実施例１０を示す部分断面図である。
【図１８】本発明の実施例１１の構成を表す分解図である。
【図１９】本発明の実施例１１を示す部分断面図である。
【図２０】本発明の実施例１２の構成を表す分解図である。
【図２１】本発明の実施例１２を示す部分断面図である。
【図２２】本発明の実施例１３の構成を表す分解図である。
【図２３】本発明の実施例１３を示す部分断面図である。
【図２４】本発明の実施例１４を示す部分断面図である。
【図２５】本発明の実施例１５に係る容器の構成を示す分解斜視図である。
【図２６（ａ）】図２５に示した容器の作動状態を示す断面図である。
【図２６（ｂ）】図２５に示した容器の作動状態を示す断面図である。
【図２６（ｃ）】図２５に示した容器の作動状態を示す断面図である。
【図２６（ｄ）】図２５に示した容器の作動状態を示す断面図である。
【図２７】容器本体の口頸部を成形する例を拡大して示す断面図である。
【図２８】本発明の実施例１６に係る容器の構成を示す断面図である。
【図２９】本発明の実施例１７に係る容器の構成を示す断面図である。
【図３０】本発明の実施例１８に係る容器の構成を示す断面図である。
【図３１（ａ）】本発明の実施例１９に係る容器の構成及び作動を示す断面図である。
【図３１（ｂ）】本発明の実施例１９に係る容器の構成及び作動を示す断面図である。
【図３２（ａ）】本発明の実施例１９に係る容器の構成及び作動を示す断面図である。
【図３２（ｂ）】本発明の実施例１９に係る容器の構成及び作動を示す断面図である。
【図３３】本発明の一実施例に係る容器の蓋を示す分解斜視図である。
【図３４】本発明の一実施例に係る容器の蓋を示す分解断面図である。
【図３５】本発明の一実施例に対する第１作用例を示す組立断面図である。
【図３６】本発明の一実施例に対する第２作用例を示す部分作動状態の組立断面図である。
【図３７】本発明の一実施例に対する第３作用例を示す部分分離状態の組立断面図である。
【図３８】本発明の他の実施例に係る容器の蓋を示す分解断面図である。
【図３９】本発明の他の実施例に係る容器の蓋を示す組立断面図である。
【図４０】本発明のさらに他の実施例に係る容器の蓋を示す組立断面図である。
【図４１】本発明のさらに他の実施例に係る容器の藍の変形例を示す部分断面図である。
【符号の説明】
【００６８】
１０      口頸部
１３      容器本体
１４      円錐バルブ部
１４Ｓ    ピラー部
５０      キャップ部材
５２      添加物流出部
５２Ｓ    螺合部
１００    添加物収容部材
１００Ａ  キャップ部
１００Ｂ  固定部
１０１    外部円筒
１０２    内部円筒
１０３    シリンダ空間部
１０４    突出開口部
２２２    バルブ部
２１００    容器本体
２１０２    内容物収容空間
２１１０    口頸部
２１１２    雄ネジ
２１１４    フランジ
２１１６    螺合突条
２２００    添加物貯蔵部材
２２０２    添加物収容空間
２２１０    上昇突条
２２２２    螺合溝
２２３２    連通孔
２２３４    段差
２２３６    第１シール溝
２３００    キャップ
２３１０    外壁
２３１２    雌ネジ
２３１４    外部注入孔
２３２０    密閉部
２３２２    第２シール溝
２３３０    内壁
２３３２    内部注入孔
３０１３    容器本体
３０１８    通孔
３０５０    キャップ部材
３０５４    コーン部
３１００    添加物収容部材
３１２０Ｋ  栓部材
３１２２    板状パルプ部
３０５０    キャップ部材
３１００    添加物収容部材
３１２２    板状バルブ
３１２６    分割楔
【図１】
2004244110.tif 000003
【図２】
2004244110.tif 000004
【図３】
2004244110.tif 000005
【図４】
2004244110.tif 000006
【図５】
2004244110.tif 000007
【図６】
2004244110.tif 000008
【図７（ａ）】
2004244110.tif 000009
【図７（ｂ）】
2004244110.tif 000010
【図７（ｃ）】
2004244110.tif 000011
【図８】
2004244110.tif 000012
【図９】
2004244110.tif 000013
【図１０】
2004244110.tif 000014
【図１１】
2004244110.tif 000015
【図１２】
2004244110.tif 000016
【図１３】
2004244110.tif 000017
【図１４】
2004244110.tif 000018
【図１５】
2004244110.tif 000019
【図１６】
2004244110.tif 000020
【図１７】
2004244110.tif 000021
【図１８】
2004244110.tif 000022
【図１９】
2004244110.tif 000023
【図２０】
2004244110.tif 000024
【図２１】
2004244110.tif 000025
【図２２】
2004244110.tif 000026
【図２３】
2004244110.tif 000027
【図２４】
2004244110.tif 000028
【図２５】
2004244110.tif 000029
【図２６（ａ）】
2004244110.tif 000030
【図２６（ｂ）】
2004244110.tif 000031
【図２６（ｃ）】
2004244110.tif 000032
【図２６（ｄ）】
2004244110.tif 000033
【図２７】
2004244110.tif 000034
【図２８】
2004244110.tif 000035
【図２９】
2004244110.tif 000036
【図３０】
2004244110.tif 000037
【図３１（ａ）】
2004244110.tif 000038
【図３１（ｂ）】
2004244110.tif 000039
【図３２（ａ）】
2004244110.tif 000040
【図３２（ｂ）】
2004244110.tif 000041
【図３３】
2004244110.tif 000042
【図３４】
2004244110.tif 000043
【図３５】
2004244110.tif 000044
【図３６】
2004244110.tif 000045
【図３７】
2004244110.tif 000046
【図３８】
2004244110.tif 000047
【図３９】
2004244110.tif 000048
【図４０】
2004244110.tif 000049
【図４１】
2004244110.tif 000050